(57)【特許請求の範囲】
【請求項１】
バケットの開口下縁に掘削刃を設けると共にバケットの下面に複数の透孔を形成して、上部がアーム先端部に接続されるディッパーバケット（５）と、該ディッパーバケットの内面上部に回転自在に取り付けられるクランクシャフト（６）と、盤状体にして、その下面に破砕刃を設け、さらに両側に設けた基軸により前記ディッパーバケットに支持され、上面より突出するコネクティングロッドが前記クランクシャフトに連結されるクラッシャプレート（７）と、を具備し、前記コネクティングロッドが前記クランクシャフトに連結しててこクランク機構を構成し、且つ前記クランクシャフトにプーリを固着し、該プーリと油圧モータの出力軸に固着したプーリにベルトを巻回して、該油圧モータがこの巻掛け伝動機構を介してクランクシャフトを回転させクラッシャプレートをディッパーバケット内で揺動させ得るようにしたことを特徴とする破砕併用バケット装置。
【発明の詳細な説明】
【０００１】
【発明の属する技術分野】
本発明は、土木建設工事等で使われる破砕併用バケット装置に関するものである。
【０００２】
【従来の技術】
土木建設工事等では、掘削は不可欠な作業であって、油圧式ショベル等のバケットのある重機器が広く用いられてきた。
ここで、従来のバケットは、解体物や土砂等を掘削しても、掘削のみ或いは掘削と積込み等の作業範疇にとどまっていた。
【０００３】
【発明が解決しようとする課題】
しかるに、バケットで掘削されるものは、砂地のものから硬岩等の幅広い地質が対象であり、時によっては、バケットで掘削，収納した塊状物を砕かねばならなかった。また、建造物等の解体作業にあっては、解体物をトラック等に積込むために小さくしなければならないときがあった。
そして、斯る場合、従来はバケットで掘削した塊状物や解体物を移し替え、破砕作業を施さねばならず、二度手間になっていた。
【０００４】
本発明は上記問題点を解決するもので、バケットで掘削した掘削物の移し替えをせず、バケット内でそのまま破砕操作を施すことのできる破砕併用バケット装置を提供することを目的とする。
【０００５】
【課題を解決するための手段】
上記目的を達成すべく、請求項１記載の本発明の要旨は、バケットの開口下縁に掘削刃を設けると共にバケットの下面に複数の透孔を形成して、上部がアーム先端部に接続されるディッパーバケット（５）と、該ディッパーバケットの内面上部に回転自在に取り付けられるクランクシャフト（６）と、盤状体にして、その下面に破砕刃を設け、さらに両側に設けた基軸により前記ディッパーバケットに支持され、上面より突出するコネクティングロッドが前記クランクシャフトに連結されるクラッシャプレート（７）と、を具備し、前記コネクティングロッドが前記クランクシャフトに連結しててこクランク機構を構成し、且つ前記クランクシャフトにプーリを固着し、該プーリと油圧モータの出力軸に固着したプーリにベルトを巻回して、該油圧モータがこの巻掛け伝動機構を介してクランクシャフトを回転させクラッシャプレートをディッパーバケット内で揺動させ得るようにしたことを特徴とする破砕併用バケット装置にある。
【０００６】
請求項１の発明のように、ディッパーバケットにクランクシャフトを取付けると共に、該クランクシャフトにクラッシャプレート上面より突出するコネクティングロッドを連結させて、クランクシャフトの回転によりクラッシャプレートをディッパーバケット内で揺動させ得るようにすると、ディッパーバケットですくってここに収納された掘削物をクラッシャプレートで圧砕できるので、掘削のみならず破砕操作も行えるようになる。そして、クラッシャプレートに破砕刃があると、破砕刃が掘削物を噛み砕くので、破砕威力を高めることとなる。
【０００７】
【発明の実施の形態】
以下、本発明の実施形態について詳述する。図１，図２は、本発明の破砕併用バケット装置（以下、単に「バケット装置」という）の一実施形態を示し、図１は油圧式ショベル（土木建設用重機）にバケット装置を取り付けた状態を示す斜視図、図２は図１のバケット装置の全体斜視図である。
【０００８】
まず、本発明のバケット装置の説明に先立って、図１の油圧式ショベル１について説明する。
本図において、土木建設用重機たる油圧式ショベル１は周知の構造であり、走行台枠１０にターンテーブル１１を介して旋回体１２が取り付けられている。前記旋回体１２には、ブーム１３が鉛直面に沿って回動自在に取り付けており、また、該ブーム１３の先端部には、アーム１４が鉛直面に沿って回動自在に取り付けられている。
前記アーム１４の先端部近傍には、第一リンク１５を介して第二リンク１６が取り付けられ、さらに、前記第二リンク１６およびアーム１４の先端部に第一取付軸１８および第二取付軸１９を介して本発明のバケット装置Ａが取着されている。前記アーム１４、第一リンク１５、第二リンク１６およびバケット１７は、四節回転連鎖を構成しており、バケット用シリンダ２０が伸縮することにより、バケット装置Ａがアーム１４に対して第二取付軸１９を中心に回動する。尚、ブーム１３およびアーム１４は、それぞれ、ブームシリンダ２１およびアームシリンダ２２が伸縮することによって回動する。
【０００９】
本発明たるバケット装置Ａは、ディッパーバケット５とクランクシャフト６とクラッシャプレート７とを具備する。
【００１０】
ディッパーバケット５は、一面が開口したバケツ形状で、背面に設けた一対の取付片５５を利用して上部が前述のごとくアーム１４の先端部に接続される。取付片５５の円孔５７に前記第一取付軸１８が挿通し、また、取付片５５の円孔５６に第二取付軸１９が挿通してディッパーバケット５が支持される。ディッパーバケット５は、バケットの開口下縁に掘削刃５１，５１，…を設けて掘削可能とする。さらに、バケット下面に方形の透孔５２を複数形成して、クラッシャプレート７による圧砕で塊状物，解体物の粉末化した粒状物をディッパーバケット５から落下できるようにしている。
【００１１】
クランクシャフト６は、てこクランク機構のクランク軸で、ディッパーバケット５の内面上部に回転自在に取り付けられる。符号６２はクランクシャフト６に固着されたプーリを示す。
【００１２】
クラッシャプレート７は、盤体７１の下面に破砕刃７３を設けた盤状体で、ディッパーバケット５内に配される（図２）。具体的には、クラッシャプレート７は、その両側に設けた基軸７５によりディッパーバケット５の側面に支持される。そして、クラッシャプレート７の上面より突出するコネクティングロッド７２が上記クランクシャフト６に連結しててこクランク機構を構成するようにしている。クランクシャフト６が回転すれば、基軸７５を支点にクラッシャプレート７に揺動運動を与えることができるようになっている。
符号８は本体ショベルより油圧の供給を受けて駆動する油圧モータを示す。該油圧モータ８の出力軸８１に固着したプーリ８２と前記プーリ６２にベルト９を巻回して、油圧モータ８はこの巻掛け伝動機構を介してクランクシャフト６を回転させ得る構成にある。
【００１３】
次に、本バケット装置の用い方について説明する。
まず、図１のように油圧式ショベルにバケット装置Ａを取り付ける。ブーム１３，アーム１４を操作することにより掘削刃５１に重量をかけながら掘削を行い、ディッパーバケット５で掘削物をすくいあげ、バケット内に収納する。
その後、すくった掘削物に塊状体や粉砕を要する解体物等がある場合には、油圧モータ８を作動させる。油圧モータ８の作動で、クラッシャプレート７が基軸７５を支点に揺動し、クラッシャプレート７がバケット下面とで前記塊状物や解体物を挟みつけ、さらに、クラッシャプレート７がバケット下面に近づくにつれこれを圧砕していく。圧砕により粉末化した掘削物は透孔から落下していき、次なる揺動圧砕時に塊状物や解体物の新たな破砕を促す。このとき、破砕刃７３の先端に集中荷重が加わり、掘削物を噛み砕いていき圧砕の威力を高める。こうして、バケット装置Ａは掘削のみならずバケットに収納された塊状物，解体物を壊す作業をも行う。
【００１４】
このように構成したバケット装置は、油圧ショベル等の土木建設用重機に取り付けるだけで、ディッパーバケット５で掘削と同時に、バケット内に収納した掘削物の破砕操作もなし得るので、土木，建設工事における掘削作業，解体作業の短縮化が図れる。掘削収納した掘削物をそのまま細かく砕くことができ、移し替え等の無駄が生じない。破砕刃７３が掘削物を効果的に噛み砕くので、圧砕作業は一層はかどる。
さらに、バケット内で破砕され細かくなったものは、透孔５２でふるいにかけられ、ここから落ちていくので、クラッシャプレート７の揺動繰り返しが可能となり、掘削物の圧砕作業をどんどん推し進めることができる。
そして、破砕操作の構造は、てこクランク機構を応用してシンプルにして故障が少なく、コストがさほどかからないなどの特徴を有し優れている。
【００１５】
尚、本発明は、前記実施形態に示すものに限られず、目的、用途に応じて本発明の範囲で種々変更することができる。ディッパーバケット５，クランクシャフト６，クラッシャプレート７，油圧モータ８等の形状，大きさ等は用途に合わせて適宜選択できる。また、油圧モータ８に代えて他の駆動源を用いてもよいし、伝動機構は実施形態のベルト伝動以外の伝動機構をとることができる。本発明品たる破砕併用バケット装置は油圧ショベルへの取付けに限定されず、種々の掘削機に勿論取着できる。
【００１６】
【発明の効果】
以上のごとく、本発明の破砕併用バケット装置は、バケットで掘削した塊状物，解体物等を移し替えせずに、バケット内でそのまま続けて圧砕作業をなし得るので、作業効率化が図られ極めて有益となる。
【図面の簡単な説明】
【図１】  本発明の一実施形態に係る破砕併用バケット装置で、これを油圧式ショベルに取り付けた状態を示す斜視図である。
【図２】  図１の破砕併用バケット装置の全体斜視図である。
【符号の説明】
１４        アーム
５          ディッパーバケット
５１        掘削刃
５２        透孔
６          クランクシャフト
６２        プーリ
７          クラッシャプレート
７２        コネクティングロッド
７３        破砕刃
７５        基軸
８          油圧モータ
８１        出力軸
９          ベルト
Ａ          破砕併用バケット装置
【図１】
0003755970.tif 000002
【図２】
0003755970.tif 000003